(57)【要約】【課題】  極めて簡易にケース部材に対してカバー部材を取り付け可能とし、同時に強固な取り付けを実現する。【解決手段】  マイクロホン等を収容する本体ケース部４ａと、本体ケース４ａの底面外側に設けられたスピーカケース部４ｂとからなるケース部材４と、本体ケース部４ａ側を覆うカバー部材５と、スピーカケース部４ｂ側を覆うスピーカカバー部材６とを備えてなる。そして、ケース部材４には、本体ケース部４ａの所定位置に圧入孔８が、周縁部フック９が設けられるとともに、カバー部材５には、圧入孔８に対応位置して圧入ボス１が、フック９に対応位置して孔部１１が設けられ、これら圧入孔８と圧入ボス１０の嵌合、及びフック９と孔部１１の嵌合を併用した取付構造によってケース部材４とカバー部材５とが取り付けられる。【選択図】  図１
2005109944.tif 000002
【特許請求の範囲】
【請求項１】
本体部とスピーカ部とからなり、該スピーカ部を使用者の耳孔に挿入することで装着されるヘッドセットにおいて、
少なくともマイクロホン、回路基板及び電池を収容する本体ケース部と、該本体ケースの底面外側に設けられスピーカを収容するスピーカケース部とからなるケース部材と、
上記本体ケース部の開放面側を覆うカバー部材を備え、
上記ケース部材には、上記本体ケース部の所定位置に円筒状の圧入孔が設けられるとともに、周縁部に係止片がケース部材の外側に向かって突出して形成されたフックが設けられ、
上記カバー部材には、上記ケース部材の上記圧入孔に対応する位置に圧入ボスが設けられるとともに、周縁部の上記ケース部材の上記フックに対応する位置に係止孔が設けられ、
上記ケース部材と上記カバー部材とは、上記圧入孔と上記圧入ボスの嵌合、及び上記フックの係止片と上記係止孔の嵌合を併用した取付構造で取り付けられていることを特徴とするヘッドセット。
【請求項２】
上記カバー部材は、剛性を有する透明プラスチックにより形成されていることを特徴とする請求項１記載のヘッドセット。
【発明の詳細な説明】
【技術分野】
【０００１】
本発明は、マイクロホンとスピーカを収容して無線通信を可能とするヘッドセットに関する。
【背景技術】
【０００２】
近年、音声通信用である電話機及び携帯端末の周辺機器等として、ハンズフリーで無線通信可能なヘッドセットが提供され始めている。このヘッドセットでは、無線通信のためのマイクロホンやスピーカ、回路基板等がカバーにて密閉されたケース部材内に収容されている。
【０００３】
そして、上述のヘッドセットには、マイクロホン等を収容する本体部と、スピーカを収容するスピーカ部とからなり、このスピーカ部自体を使用者の耳に挿入することで装着されるものが提案されている。このような従来のヘッドセットでは、本体部がマイクロホン等を収容する浅皿状のケース部材と、このケース部材の開放面を閉塞してケース部材内のマイクロホン等を外部からの衝撃から保護するカバー部材とによって構成される。そして、このようなケース部材に対するカバー部材の取付は、従来から、接着剤や金属ビス等を使用することにより強固に行われており、カバー部材の脱落が防止されている。（例えば、特許文献１等を参照）
【特許文献１】特開２００３−１７４４９６号公報
【発明の開示】
【発明が解決しようとする課題】
【０００４】
しかしながら、上述したようにカバー部材を接着剤によってケース部材に取り付ける場合には、接着剤の塗布量のばらつきによる取付け不良が生じることがある。また、塗布する接着剤の量が多すぎた場合には、外側に接着剤がはみ出し、ヘッドセットの外観を損なうといった問題も生じている。
【０００５】
また、カバー部材をビス止めによってケース部材に取り付ける場合には、使用した金属ビスが、ヘッドセットによる無線通信の際のアンテナ特性に悪影響を及ぼすおそれがあるという問題がある。さらには、金属ビスを使用した場合には、部品点数も多くなるとともに、組み立て作業が煩雑化するという問題もある。
【０００６】
そこで、本発明は、このような従来の実情に鑑みて提案されたものであり、極めて簡易にケース部材に対してカバー部材の取り付けが可能であり、しかも強固な取り付けを実現することが可能なヘッドセットを提供することを目的とする。また、本発明は、外観を損なったり、内蔵されるアンテナのアンテナ特性に悪影響を及ぼすことなく、カバー部材を取り付けることが可能なヘッドセットを提供することを目的とする。
【課題を解決するための手段】
【０００７】
上述した目的を達成するために、本発明にかかるヘッドセットは、本体部とスピーカ部とからなり、該スピーカ部を使用者の耳孔に挿入することで装着されるヘッドセットにおいて、少なくともマイクロホン、回路基板及び電池を収容する本体ケース部と、該本体ケースの底面外側に設けられスピーカを収容するスピーカケース部とからなるケース部材と、上記本体ケース部の開放面側を覆うカバー部材を備え、上記ケース部材には、上記本体ケース部の所定位置に円筒状の圧入孔が設けられるとともに、周縁部に係止片がケース部材の外側に向かって突出して形成されたフックが設けられ、上記カバー部材には、上記ケース部材の上記圧入孔に対応する位置に圧入ボスが設けられるとともに、周縁部の上記ケース部材の上記フックに対応する位置に係止孔が設けられ、上記ケース部材と上記カバー部材とは、上記圧入孔と上記圧入ボスの嵌合、及び上記フックの係止片と上記係止孔の嵌合を併用した取付構造で取り付けられていることを特徴とする。
【０００８】
上述した構成の本発明にかかるヘッドセットにおいては、ケース部材とカバー部材とにそれぞれ対応位置して設けられる圧入孔と圧入ボスの嵌合、及びフックの先端部と孔部の嵌合によって、接着剤や金属ビスを用いずにケース部材とカバー部材との取付が行われる。
【発明の効果】
【０００９】
このように、本発明に係るヘッドセットでは、上述したボスと孔部の嵌合、フックと孔部の嵌合を併用した取付構造によって、きわめて外れにくく強固なケース部材とカバー部材の取付を簡易に実現することができる。また、本発明によれば、外観を損なったり、内蔵されるアンテナのアンテナ特性に悪影響を及ぼすことなく、カバー部材を取り付けることが可能である。
【発明を実施するための最良の形態】
【００１０】
以下、本発明に係るヘッドセットの具体的な実施の形態について図面を参照しながら詳細に説明する。
【００１１】
本発明のヘッドセット１は、図１に示すように、本体部２と、スピーカ部３とからなり、このスピーカ部３を使用者の耳孔に挿入することで装着される。そして、本体部２には、装着時に装着者の口の近くまで張り出す部分に集音用のマイクロホンが収容されており、装着者の耳内に挿入されるスピーカ部３には、スピーカがそれぞれ収容されている（以下、このようにマイクロホンが収容された側を前方と称し、この前方と反対側の部分を後方と称する。このヘッドセットを構成する他の部材についても同様とする。）。
【００１２】
上述したような構成のヘッドセット１は、略楕円形の浅皿状を呈する本体ケース部４ａと、この本体ケース部４ａの底面外側に設けられたスピーカケース部４ｂとからなるケース部材４と、このケース部材４の本体ケース部４ａの開放面側を覆うように強固に取り付けられる略楕円形状のドーム状を呈するカバー部材５と、ケース部材４のスピーカケース部４ｂの開放面側を覆うように強固に取り付けられるスピーカカバー部材６とからなる。
【００１３】
ケース部材４には、本体部２を構成する本体ケース部４ａ部分に上述したマイクロホンや、回路基板等の電子部品、及びこれらの電源となる電池が収容されている。また、ケース部材４には、ケース部材４の本体ケース部４ａの後方側に孔部を有するストラップ取付部７が設けられている。さらに、ケース部材４のスピーカケース部４ｂ部分には、音源であるスピーカが収容され、スピーカ部３が構成されている。
【００１４】
このケース部材４には、本体ケース部４ａの内面側に、図２乃至図４に示すように、後述するカバー部材５の取り付け用の圧入孔８が複数個設けられている。この圧入孔８は、円筒状を呈して形成されている。また、ケース部材４には、その周縁部近傍に、同様にカバー部材５の取り付け用のフック９が複数個設けられている。このフック９は、その先端部分が係止片とされ、ケース部材４の外側に向かって突出して形成されている。
【００１５】
カバー部材５は、ある程度剛性を有する硬質の材料、例えば透明プラスチックにて形成され、上述したように本体ケース部４ａの開放面側を覆うように強固にカバー部材４に対して取り付けられる。
【００１６】
カバー部材５は、本体ケース部４ａに収容されているマイクロホンや回路基板等を保護する役割を果たすが、その一部に開口部が形成され、回路基板に設けられたスイッチ等を操作するボタン等が取り付けられている。本例では、カバー部材５の両側部に、操作ボタンを外部に臨ませるボタン用孔部５ａがそれぞれ形成されている。
【００１７】
このカバー部材５には、その内面側に、図５及び図６に示すように、ケース部材４への取り付け用の圧入ボス１０が複数個設けられている。この圧入ボス１０は、円柱状を呈してなり、上述したようにケース部材４に設けられた圧入孔８に対応位置して形成されている。また、カバー部材５には、その周縁部に、同様にケース部材４への取り付け用の孔部１１が係止孔として複数個設けられている。この孔部１１は、長方形状の長孔であり、上述したようにケース部材４に設けられたフック９に対応する位置に形成されている。
【００１８】
スピーカカバー部材６は、上述のカバー部材５と同様に硬質の材料にて形成され、上述したようにスピーカケース部４ｂの開放面側を覆うように強固にカバー部材４に対して取り付けられる。なお、スピーカカバー部材６は、透明プラスチックではなく、例えばスピーカケース部４ｂと同色のプラスチック材料により形成されている。そして、このスピーカカバー部材６は、スピーカケース部４ｂに収容されているスピーカを物理的に保護する。
【００１９】
また、スピーカカバー部材６は、上述したように装着時に使用者の耳に挿入されるスピーカ部３を構成するが、内部に収容されたスピーカからの音を外部、具体的には使用者の耳内に放射するための複数個の放音孔（図示は省略する。）が形成されている。
【００２０】
上述した構造のヘッドセット１においては、ケース部材４に形成された圧入孔８及びフック９と、カバー部材５に形成された圧入ボス１０及び孔部１１とによって、ケース部材４に対するカバー部材５の取付が行われる。具体的には、ケース部材４の圧入孔８内にカバー部材５の圧入ボス１０が圧入されるとともに、ケース部材４のフック９の先端がカバー部材５の孔部１１に嵌合することによって、ケース部材４に対してカバー部材５が取り付けられ、その状態が保持される。
【００２１】
ヘッドセット１においては、上述した取付構造、すなわちボスと孔部の嵌合、フックと孔部の嵌合を併用した取付構造によって、ケース部材４とカバー部材５とが取り付けられるため、極めて外れにくく強固に両者を取り付けることができるようになる。
【００２２】
また、ヘッドセット１では、従来のごとき接着剤を用いた場合に生じていた問題、具体的には接着剤の塗布量のばらつきによる取付不良や接着剤のはみ出しや、金属ビスを用いた場合に生じていた問題、具体的にはアンテナ特性への悪影響や部品点数増加による組み立て作業が煩雑化という問題も無くなり、ケース部材４とカバー部材５との取付を簡易且つ良好に行うことができるようになる。
【図面の簡単な説明】
【００２３】
【図１】本発明に係るヘッドセットの側面図である。
【図２】同ヘッドセットのケース部材の平面図である。
【図３】図２中Ａ−Ａ線における縦断面図である。
【図４】図２中Ｂ−Ｂ線における縦断面図である。
【図５】同ヘッドセットのカバー部材の底面図である。
【図６】図５中Ｃ−Ｃ線における縦断面図である。
【符号の説明】
【００２４】
１        ヘッドセット
２        本体部
３        スピーカ部
４        ケース部材
４ａ      本体ケース部
４ｂ      スピーカケース部
５        カバー部材
５ａ      ボタン用孔部
６        スピーカカバー部材
７        ストラップ取付部
８        圧入孔
９        フック
１０      圧入ボス
１１      孔部
【図１】
2005109944.tif 000003
【図２】
2005109944.tif 000004
【図３】
2005109944.tif 000005
【図４】
2005109944.tif 000006
【図５】
2005109944.tif 000007
【図６】
2005109944.tif 000008